(57)【要約】      （修正有）【課題】収納容器が配設された貯蔵室に吹出口と吸込口とを上下に並べて設けても、ショートサーキットの発生を抑えることができる冷蔵庫を提供する。【解決手段】貯蔵室５０と、貯蔵室５０内に配設された収納容器５２と、空気を冷却する冷却器６４と、冷却器６４が配設された冷却器室７１と、冷却器６４で冷却された空気が冷却器室７１から貯蔵室５０へ吹き出される吹出口７９と、貯蔵室５０の空気が冷却器室７１へ戻る吸込口８０と、を備え、収納容器５２は、下容器５３と下容器５３の上方に設けられた上容器５４とを備え、吹出口７９と吸込口８０とが上下に設けられ、吹出口７９が下容器５３の後面５３ａに設けられた後方開口部５３ｂと対向する。【選択図】図４
2014081105.tif 000002
【特許請求の範囲】
【請求項１】
貯蔵室と、前記貯蔵室内に配設された収納容器と、空気を冷却する冷却器と、前記冷却器が配設された冷却器室と、前記冷却器で冷却された空気が前記冷却器室から前記貯蔵室へ吹き出される吹出口と、前記貯蔵室の空気が前記冷却器室へ戻る吸込口と、を備え、
前記収納容器は、下容器と前記下容器の上方に設けられた上容器とを備え、前記吹出口と前記吸込口とが上下に設けられ、
前記吹出口が前記下容器の後面に設けられた後方開口部と対向することを特徴とする冷蔵庫。
【請求項２】
前記吹出口と前記冷却器室とを連結する吹出ダクトの吹出口側先端部が、前記後方開口部から前記下容器内部へ進入していることを特徴とする請求項１に記載の冷蔵庫。
【請求項３】
前記吹出口と前記冷却器室とを連結する吹出ダクトは、吹出口側先端部に前方に延びる吹出ガイド部を備え、
前記後方開口部の上部が前記上容器の底部により区画され、前記吹出ガイド部が前記上容器の底部に平行に設けられていることを特徴とする請求項１又は２に記載の冷蔵庫。
【請求項４】
前記吸込口は、前記吹出口の下方に設けられ、
前記吸込口と前記冷却器室とを連結する吸込ダクトは、吸込口側先端部に下方へ延びる吸込ガイド部を備え、
前記下容器は、側面、前面及び底面の少なくとも一つに設けられた通気口を備えることを特徴とする請求項１〜３のいずれか１項に記載の冷蔵庫。
【発明の詳細な説明】
【技術分野】
【０００１】
本発明の実施形態は、冷蔵庫に関する。
【背景技術】
【０００２】
冷蔵庫は、冷蔵室、野菜室、冷凍室などの貯蔵室を備え、冷却器で冷却された空気がファンによって吹出口から貯蔵室へ吹き出され、吸込口から再び冷却器に戻る循環を繰り返すことで貯蔵室を冷却する。冷蔵庫では、限られたスペースの中で空気の流れ抵抗を低減し冷却効率を向上させるため、吹出口と吸込口とを上下に並べて設けることで吹出口や吸込口の開口面積を拡大することがある（例えば、下記特許文献１参照）。
【０００３】
しかしながら、野菜室や冷凍室などの貯蔵室では、引き出し式の扉の開扉に連動して引き出される収納容器が内部に収納されることがあるが、このような収納容器が配設された貯蔵室に吹出口と吸込口とを上下に並べて設けると、吹出口から吹き出した空気が収納容器の後壁に当たって貯蔵室内を冷却することなく吸込口へ吸い込まれるショートサーキットが発生しやすいという問題がある。
【先行技術文献】
【特許文献】
【０００４】
【特許文献１】特開２００８−４５８１７号
【発明の概要】
【発明が解決しようとする課題】
【０００５】
本発明は、上記事情を考慮してなされたものであり、収納容器が配設された貯蔵室に吹出口と吸込口とを上下に並べて設けても、ショートサーキットの発生を抑えることができる冷蔵庫を提供することを目的とする。
【課題を解決するための手段】
【０００６】
本実施形態の冷蔵庫は、貯蔵室と、前記貯蔵室内に配設された収納容器と、空気を冷却する冷却器と、前記冷却器が配設された冷却器室と、前記冷却器で冷却された空気が前記冷却器室から前記貯蔵室へ吹き出される吹出口と、前記貯蔵室の空気が前記冷却器室へ戻る吸込口と、を備え、前記収納容器は、下容器と前記下容器の上方に設けられた上容器とを備え、前記吹出口と前記吸込口とが上下に並べて設けられ、前記吹出口が前記下容器の後面に設けられた後方開口部と対向することを特徴とする。
【図面の簡単な説明】
【０００７】
【図１】第１実施形態に係る冷蔵庫の断面図である。
【図２】図１の冷蔵庫の収納容器の斜視図である。
【図３】図１の冷蔵庫の冷凍サイクルを示す図である。
【図４】図１の要部拡大断面図である。
【図５】図４のＡ−Ａ断面図である。
【発明を実施するための形態】
【０００８】
以下、図面に基づいて本発明の第１実施形態について説明する。
【０００９】
本実施形態に係る冷蔵庫１０は、図１に示すように、鋼板からなる外箱１２と貯蔵空間を形成する内箱１４との間に断熱空間１３を設けたキャビネット１６を備える。
【００１０】
内箱１４の内方に形成された貯蔵空間は、断熱仕切壁１７によって上方の冷蔵空間２０と下方の冷凍空間４０とに区画されている。
【００１１】
冷蔵空間２０は、冷蔵温度（例えば、２〜３℃）に冷却される空間であって、内部がさらに仕切壁２１によって上下に区画され、仕切壁２１の上方に複数段の載置棚を設けた冷蔵室２２が設けられ、仕切壁２１の下方に野菜室２４が設けられている。
【００１２】
断熱仕切壁１７を介して野菜室２４の下方に配置した冷凍空間４０は、冷凍温度（例えば、−１８℃以下）に冷却される空間であって、自動製氷機を備えた製氷室４２と小型冷凍室４６とが左右に併設され、その下方に仕切壁４９を介して冷凍室５０が設けられている。
【００１３】
冷蔵室２２の開口部は、キャビネット１６の一側部の上下に設けられたヒンジにより回動自在に枢支された冷蔵室扉２３により閉塞されている。
【００１４】
野菜室２４、製氷室４２、小型冷凍室４６及び冷凍室５０の開口部は、引き出し式の扉２５，４７，５１により閉塞されている。各扉２５，４７，５１の裏面側に固着した左右一対の支持枠には、収納容器２６，４４，４８，５２が保持されており、開扉動作とともに庫外に引き出されるように構成されている。
【００１５】
冷凍室５０の内部に配設される収納容器５２は、図２に示すように、下容器５３と、下容器５３の上方に設けられた上容器５４とを備え、上下２段に重なり合う構造をなしている。下容器５３及び上容器５４は、前方壁、後方壁、左右側壁によって囲まれた上方に開口する有底のボックス状をなしており、上容器５４に比べて下容器５３の収容深さが深く設けられている。
【００１６】
上容器５４は、透明樹脂材で成形され上容器５４を通して下容器５３の内部が上方より目視できるように構成されている。上容器５４は、冷凍室５０の左右の側壁面に形成されたレール５０ａ上を前後方向に摺動することで、下容器５３と独立して庫外へ引き出される。
【００１７】
下容器５３は、冷凍室扉５１の裏面側に固着された支持枠５５に支持され、該扉５１の開扉動作とともに庫外に引き出される。下容器５３の後面を構成する後方壁５３ａは、幅方向中央部に上端から下方へ凹んだ後方開口部５３ｂが設けられており、上方に配置された上容器５４の底部５４ａが後方開口部５３ｂの上部を閉塞し区画している。
【００１８】
また、下容器５３の側面を構成する左右側壁５３ｃには、上下に長い長孔状の通気口５３ｄが複数穿設されている。通気口５３ｄの開口位置は、下容器５３に重ね合わされた上容器５４の底部５４ａより下方に設けられ、上方に配された上容器５４によって通気口５３ｄが塞がれることが無いようになっている。なお、本実施形態では、通気口５３ｄを下容器５３の左右側壁５３ｃに設ける場合について説明するが、下容器５３の前面を構成する前壁や、底面に設けてもよい。
【００１９】
冷蔵空間２０の後部には、冷蔵空間２０内の空気を冷却する冷蔵用冷却器６２と冷蔵用冷却器６２で冷却された冷気を冷蔵室２２及び野菜室２４へ送風する冷蔵用送風ファン６３とを収納する冷蔵用冷却室２８が設けられている。また、冷凍空間４０の後部には、冷凍空間４０内の空気を冷却する冷凍用冷却器６４と冷凍用冷却器６４で冷却された冷気を製氷室４２と小型冷凍室４６と冷凍室５０へ送風する冷凍用送風ファン６５とを収納する冷凍用冷却室７１が設けられている。
【００２０】
冷蔵用冷却器６２及び冷凍用冷却器６４は、キャビネット１６の背面下部に設けられた機械室１９内に収納された圧縮機６１や凝縮器６６とともに冷凍サイクル６０を構成する。
【００２１】
冷凍サイクル６０は、図３に示すように、高温高圧のガス状の冷媒を吐出する圧縮機６１と、圧縮機６１から吐出されるガス状の冷媒を受けて放熱液化する凝縮器６６と、凝縮器６６の出口側に設けられ冷媒流路を切り換える切替弁６７と、冷蔵用冷却器６２及び冷凍用冷却器６４と、これらの冷却器６２，６４のための絞り手段としての冷蔵用減圧装置６８及び冷凍用減圧装置６９と、逆止弁７０とを備え、これらを冷媒パイプによって配管接続することで、圧縮機６１から吐出された冷媒を循環させて冷蔵用冷却器６２及び冷凍用冷却器６４を冷却する。
【００２２】
冷蔵用冷却室２８は、図１に示すように、冷蔵室２２の背面に設けられた背面ダクト２７に接続されており、冷蔵用ファン６３の回転により冷蔵用冷却器６２で冷却された空気が、背面ダクト２７の下端から上端へ上方に向けて流れ込み、冷蔵室２２の背面に設けられた吹出口２９から冷蔵室２２内へ吹き出す。冷蔵室２２へ吹き出した空気は、冷蔵室２２内を流れた後、一部が仕切壁２１に設けられた吸込口３０から冷蔵用冷却室２８に戻り、他の一部が仕切壁２１に穿設された不図示の導入口を通って野菜室２４へ流れ込み野菜室２４内を流れた後、野菜室２４の背面に設けられた吸込口３１から冷蔵用冷却室２８に戻る。
【００２３】
冷凍用冷却室７１は、図１，４，５に示すように、製氷室４２及び小型冷凍室４６の背面に設けられた吹出口７２，７３に連通するとともに、第１吹出ダクト７４、第２吹出ダクト７５及び吸込ダクト７６が接続されている。
【００２４】
第１吹出ダクト７４は、冷凍室５０の上面を構成する仕切壁４９の内部に設けられ、仕切壁４９の後部に設けられた第１吹出口７７と冷凍用冷却室７１とを連結している。
【００２５】
第２吹出ダクト７５及び吸込ダクト７６は、冷凍室５０の背面に設けられた冷凍用冷却器６４の前面を覆うカバー体７８の内部に設けられ、冷凍室５０の背面に開口する第２吹出口７９及び冷凍側吸込口８０と冷凍用冷却室７１とを連結している。
【００２６】
具体的には、第２吹出ダクト７５及び吸込ダクト７６は、冷凍室５０の背面に設けられた冷凍用冷却器６４の前面を覆うカバー体７８の内部に断熱仕切体８１を介して上下に、この例では、第２吹出ダクト７５が吸込ダクト７６の上側に設けられ、第２吹出口７９と冷凍側吸込口８０とが上下に設けられている。
【００２７】
第２吹出ダクト７５は、その先端に設けられた第２吹出口７９が上容器５４に設けられた後方開口部５３ｂに対向する位置まで延びている。第２吹出ダクト７５は、第２吹出口７９側の先端部に上容器５４の底部５４ａに対して平行に設けられた吹出ガイド部８２が前方へ延設されており、下容器５３の後方開口部５３ｂから吹出ガイド部８２が下容器５３の内部へ進入している。
【００２８】
吸込ダクト７６の先端に設けられた冷凍側吸込口８０は、吸込ダクト７６が第２吹出ダクト７５の下側に設けられていることから第２吹出口７９より下方に位置している。この冷凍側吸込口８０は、上方に設けられた第２吹出口７９より幅広に設けられ、製氷室４２の吹出口７２と小型冷凍室４６の吹出口７３と、冷凍室５０の第１吹出口７７及び第２吹出口７９の開口面積を合わせた面積とほぼ等しく設けられている。
【００２９】
吸込ダクト７６の冷凍側吸込口８０側の先端部には、第２吹出ダクト７５の先端部に設けられた吹出ダクト８２より後方位置において下方へ延びる吸込ガイド部８３が設けられている。この吸込ガイド部８３の前面には、冷凍室５０内の温度を検出する温度センサ８４が配設されている。
【００３０】
そして、冷凍用冷却器６４で冷却された空気は、冷凍用冷却室７１内の冷凍用送風ファン６５の回転により、吹出口７２，７３から製氷室４２及び小型冷凍室４６内へ吹き出すとともに、第１吹出ダクト７４及び第２吹出ダクト７５を通って第１吹出口７７及び第２吹出口７９から冷凍室５０内へ吹き出す。
【００３１】
具体的には、吹出口７２，７３から製氷室４２及び小型冷凍室４６内へ吹き出した空気は、製氷室４２及び小型冷凍室４６の内部を冷却しながら流れ、冷凍仕切壁４９に穿設された不図示の導入口を通って冷凍室５０へ流れ込む。冷凍室５０へ流れ込んだ空気は、収納容器５２と冷凍室５０との間で形成される戻り流路８５を通って冷凍側吸込口８０から冷凍用冷却室７１に戻る。
【００３２】
第１吹出ダクト７４を通って第１吹出口７７から冷凍室５０へ吹き出した空気は、後部上方から上容器５４へ流れ込み上容器５４内部を前方へ流れながら冷却する。また、第２吹出ダクト７５を通って第２吹出口７９から冷凍室５０へ吹き出した空気は、第２吹出口７９が下容器５３の後方開口部５３ｂに対向していることから、下容器５３の後方壁５３ａに当たることなく、スムーズに下容器５３内へ流れ込み下容器５３内部を前方へ流れながら冷却する。
【００３３】
上容器５４内を流れた空気は、前部上方から戻り流路８５へ流れ込み、また、下容器５３の内部を流れた空気は、通気口５３ｄから戻り流路８５へ流れ込む。そして、第１吹出口７７及び第２吹出口７９から吹き出し上容器５４及び下容器５３内を冷却した空気は、戻り流路８５において吹出口７２，７３から吹き出し製氷室４２及び小型冷凍室４６を冷却した空気と合流し、戻り流路８５を通って冷凍側吸込口８０から冷凍用冷却室７１に戻る。
【００３４】
以上のように本実施形態の冷蔵庫１０では、第２吹出口７９が下容器５３の後方壁５３ａに設けられた後方開口部５３ｂと対向しているため、第２吹出口７９から冷凍室５０へ吹き出した空気は、下容器５３の後方壁５３ａに当たることなく、スムーズに下容器５３内へ流れ込み、冷凍室５０内を冷却することなく冷凍側吸込口８０へ吸い込まれるショートサーキットが発生しにくい。
【００３５】
しかも、第２吹出ダクト７５の先端部は、下容器５３の後方開口部５３ｂから下容器５３の内部へ進入しているため、第２吹出口７９から吹き出した空気を確実に下容器５３へ導入することができ、より一層、ショートサーキットが発生しにくい。
【００３６】
また、本実施形態では、第２吹出ダクト７５の第２吹出口７９側先端部に、上容器５４の底部５４ａに対して平行な吹出ガイド部８２が前方へ延設されたされているため、第２吹出口７９から吹き出す空気の流速を高くすることで、第２吹出口７９から下容器５３内に吹き出された空気が、上容器５４の底部５４ａに沿ってながれることとなり、下容器５３内の冷却とともに、上容器５４を底部５４ａを介して間接的に冷却することができる。
【００３７】
さらにまた、本実施形態では、下容器５３の左右側壁５３ｃに通気口５３ｄが設けられており、下容器５３の内部を流れた空気が、通気口５３ｄから戻り流路８５を介して第２吹出口７９の下方に設けられた冷凍側吸込口８０へ流れ込み冷凍用冷却室７１へ戻る。そのため、第２吹出口７９から吹き出された空気は、冷凍室５０内に設けられた下容器５３内を淀みなく満遍なく冷却することができ、冷却効率を向上させることができる。
【００３８】
なお、上記した実施形態は例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態は、発明の範囲や要旨に含まれると同様に、特許請求の範囲に記載された発明とその均等の範囲に含まれるものである。
【符号の説明】
【００３９】
１０…冷蔵庫      １６…キャビネット      ２０…冷蔵空間
２２…冷蔵室      ２４…野菜室      ４０…冷凍空間
４２…製氷室      ４６…小型冷凍室      ４９…仕切壁
５０…冷凍室      ５１…冷凍室扉      ５２…収納容器
５３…下容器      ５３ａ…後方壁      ５３ｂ…後方開口部
５３ｃ…左右側壁      ５３ｄ…通気口      ５４…上容器
５４ａ…底部      ７１…冷凍用冷却室      ７４…第１吹出ダクト
７５…第２吹出ダクト      ７６…吸込ダクト      ７７…第１吹出口
７８…カバー体      ７９…第２吹出口      ８０…冷凍側吸込口
８１…断熱仕切体      ８２…吹出ガイド部      ８３…吸込ガイド部
８５…流路
【図１】
2014081105.tif 000003
【図２】
2014081105.tif 000004
【図３】
2014081105.tif 000005
【図４】
2014081105.tif 000006
【図５】
2014081105.tif 000007